(57)【要約】  【課題】遊技球を複数の発射口からそれぞれ異なる方向に切り換えて発射することが可能な一方で、遊技機の機能の維持、管理が容易で、一方向から連続して遊技球を発射させる基本動作を確実に行える遊技機を提供する。  【解決手段】単一の発射駆動装置７から発射された遊技球を遊技領域１ａに打ち出すための複数の発射口５０ａ、５０ｂと、発射駆動装置７に連結され遊技球を滑走させる導入レール６０と、導入レール６０の分岐点から複数に分岐し複数の発射口５０ａ、５０ｂのそれぞれと連通する複数の案内レール１３ａ、１３ｂと、分岐点に設けられ複数の案内レール１３ａ、１３ｂのうちいずれかを選択するレール選択装置６６と、を備える。レール選択装置６６を作動させて遊技球の通路を切り換えることで、導入レール６０といずれかの発射口５０ａ、５０ｂとの間で一つの遊技球滑走通路が形成される。【選択図】図２
2006280463.tif 000002
【特許請求の範囲】
【請求項１】
所定の遊技領域が形成された遊技盤と、前記遊技領域に遊技球を打ち出す単一の遊技球の発射駆動装置と、を備えた遊技機において、
前記遊技盤に設けられ、かつ前記発射駆動装置から発射された遊技球を前記遊技領域に打ち出すための複数の発射口と、
前記発射駆動装置に連結され、遊技球を滑走させる導入レールと、
前記導入レールの分岐点から複数に分岐し、前記複数の発射口のそれぞれと連通する複数の案内レールと、
前記分岐点に設けられ、前記複数の案内レールのうちいずれかを選択するレール選択装置と、
を備え、
前記レール選択装置を作動させることにより、前記導入レールからいずれかの前記発射口との間で一つの遊技球滑走通路を形成する
ことを特徴とする遊技機。
【請求項２】
前記発射口が二つであり、これらの発射口のそれぞれは、一方の発射口から前記遊技領域に打ち出される遊技球の打ち出し方向が、他方の発射口に向かう方向となる位置関係に設けられ、前記二つの発射口の一方から前記遊技領域に打ち出された遊技球が、他方の発射口へ向かって移動する経路の途中であって前記遊技領域内に、遊技球の移動を妨げる阻止片を設けたことを特徴とする請求項１に記載の遊技機。
【請求項３】
前記レール選択装置は可動レールを含み、当該可動レールの移動に伴って、前記複数の案内レールのいずれかが選択されることを特徴とする請求項１又は２に記載の遊技機。
【請求項４】
前記レール選択装置が前記複数の案内レールのいずれかを選択する動作中は、前記発射駆動装置の駆動を停止することを特徴とする請求項１乃至３のいずれか１項に記載の遊技機。
【請求項５】
遊技者が前記複数の発射口を選択して切り換えるために、遊技者が操作する操作手段をさらに備える請求項１乃至４のいずれか１項に記載の遊技機。
【請求項６】
前記発射駆動装置と電気的に接続され、前記発射駆動装置による遊技球の発射力を回転させることに応じて調整する操作ハンドルを備え、
前記操作ハンドルは、初期位置を基準に正逆回転するハンドル部と、このハンドル部の正逆回転方向の変化の検知をする回動方向検知手段とを有し、
前記回動方向検知手段の検出信号を受けて、前記レール選択装置を作動させ、一方の案内レールから他方の案内レールへと選択するように制御することを特徴とする請求項５に記載の遊技機。
【発明の詳細な説明】
【技術分野】
【０００１】
本発明は、複数の遊技球発射口から遊技球が発射される遊技機に関する。
【背景技術】
【０００２】
従来は遊技機、例えば「パチンコ遊技機」では遊技球を発射する発射口は一つであり、通常、遊技者から見て左側からのみ遊技球を遊技領域に向けて発射していた。したがって、もし盤面全体の有効活用が可能になれば遊技の幅が拡がるので、さらに遊技性に優れた遊技機が得られる。
そこで、特許文献１には、遊技球を異なる複数の方向から、発射方向を切り換えて発射できる遊技機が開示されている。
【０００３】
このような遊技機では、異なる打出し方向毎に、複数の遊技球の打出し部材（発射装置）を設ける等の構成を備えており、遊技球の発射方向を切り換えて、これを複数の方向に発射できるようにする機能においては優れている。
しかし、発射方向が異なる毎に打出し部材等の発射装置を設置するので、構造が複雑にならざるを得ずコスト高になり、また遊技球の打出し力を、全ての発射装置についてバランスさせるように調整すること等が困難である。
【０００４】
また、特許文献１に開示された構成として、シリンダ内を往復動するピストンの両端に第１打出し部材と第２打出し部材をそれぞれ接続し、各々異なる方向への遊技球の打ち出しを可能としたものでは、一方側からのみ連続して遊技球を発射させる動作をするには適さない。
以上のように、一方側から連続して遊技球を発射させる遊技機としての基本動作を重視する場合には、従来の遊技機に比較して不利な点がある。
【特許文献１】特開２００１−２２４７６７号公報
【発明の開示】
【発明が解決しようとする課題】
【０００５】
本発明は、このような事情に鑑みてされたもので、遊技球を複数の発射口からそれぞれ異なる方向に切り換えて発射することが可能であるとともに、遊技機の機能の維持、管理が容易で、かつ、一方向から連続して遊技球を発射させる基本動作を確実に行える遊技機を提供することを課題とする。
【課題を解決するための手段】
【０００６】
本発明は、前記課題を解決するため、以下の手段を採用した。すなわち、発射駆動装置を一つとし、発射方向が異なる場合でも遊技球の打ち出しを単一の発射装置で行うことで、一方向から連続して遊技球を発射させる基本動作を確実なものとすると同時に、発射方向を切り換えた場合でも、遊技球の打出し力にばらつきが生じることを抑制した。本発明は、より具体的には、所定の遊技領域が形成された遊技盤と、前記遊技領域に遊技球を打ち出す単一の遊技球の発射駆動装置と、を備えた遊技機において、
前記遊技盤に設けられ、かつ前記発射駆動装置から発射された遊技球を前記遊技領域に打ち出すための複数の発射口と、
前記発射駆動装置に連結され、遊技球を滑走させる導入レールと、
前記導入レールの分岐点から複数に分岐し、前記複数の発射口のそれぞれと連通する複数の案内レールと、
前記分岐点に設けられ、前記複数の案内レールのうちいずれかを選択するレール選択装置と、
を備え、
前記レール選択装置を作動させることにより、前記導入レールからいずれかの前記発射口との間で一つの遊技球滑走通路を形成する
ことを特徴とする。
【０００７】
本発明によれば、複数の発射口から遊技球が発射できるため遊技盤面の有効活用が可能であり、一つの発射口のみから遊技球が発射される場合に比較して、遊技の態様が拡大し遊技性が格段に向上する。
前記レール選択装置は、遊技者の発射口を選択する意思に基づいて振分け制御手段を介して作動し、あるいは遊技者の意思に基づくことなく、遊技状態の変化等に応じて作動させることができる。例えば、遊技球の発射回数または遊技時間等によって、レール選択装置が作動して発射口が切り替わるようにすることができる。
【０００８】
本発明は、いずれかの前記発射口を切り換えて遊技球滑走通路を形成するために、遊技者が操作する操作手段をさらに備えるようにしてもよい。すなわち、遊技者がいずれかの案内レールを選択する場合、遊技者がハンドル等の操作手段を操作することで、いずれかの前記発射口の切換えをすることが可能である。このように、前記操作手段の操作によって、従来と同様に遊技球を打ち出す発射力をコントロールするだけでなく、さらに、遊技領域に遊技球が投入される位置の選択を行えるようにすることができる。
前記レール選択装置は、例えば、遊技球が打ち出される導入レールから複数の案内レールに至る通路において、遊技球をいずれの案内レールに導くかを選択的に切替え駆動を行う切替弁とすることができる。
【０００９】
また、前記発射口を二つとして、これらの発射口のそれぞれは、一方の発射口から前記遊技領域に打ち出される遊技球の打ち出し方向が、他方の発射口に向かう方向となる位置関係に設けることができる。
この場合、二つの前記発射口の一方から前記遊技領域に打ち出された遊技球が、他方の発射口へ向かって移動する経路の途中であって前記遊技領域内に、遊技球の移動を妨げる阻止片を設けることが望ましい。
さらに、二つの前記発射口はそれぞれ左右対称に配置されると、それぞれの発射口から遊技領域に投入される遊技球の落下特性の変化をつけやすく好適である。
【００１０】
前記阻止片の例としては、案内レールの近傍に設けられ、遊技球規制レールに沿って移動している遊技球を所定の方向（当該レールの内側の遊技領域内方）に向かうようにガイドする突起等が考えられる。
この阻止片は、案内レール自体を所定形状に成形して設けるか、または別体の部材を案内レールに接触させ、または案内レールから離して設けてもよい。
いずれの場合も、一方の発射口から発射された遊技球が案内レールに沿って移動し、他方の発射口に到達することがないように、例えば、遊技球が遊技領域の中央に向かう方向に進路を変更し、他方の発射口に向かわないように調整する。これは、遊技球が衝突し反発することで進路を変えるものであっても、或いは移動方向を滑らかにガイドするものが好適である。
【００１１】
前記レール選択装置は可動レールを含み、当該可動レールの移動に伴って、前記複数の案内レールのいずれかが選択されるものとすることができる。
可動レールは、その駆動装置と制御装置を備え、操作ハンドルの回転操作に連動して作動するように構成することができる。
また、前記レール選択装置が前記複数の案内レールのいずれかを選択する動作中は、遊技球を打ち出さないように前記発射駆動装置の駆動を停止させることが好ましい。
【００１２】
本発明では、遊技者が前記複数の発射口を選択して切り換えるために、遊技者が操作する操作手段をさらに備えるようにしてもよい。
遊技者が操作手段を操作することで遊技球を発射する前記複数の発射口が切り換わる場合、予め定められた操作手段の移動範囲における所定の通過点であって、いずれの発射口からも遊技球が発射されない移行領域を通過するときに前記複数の案内レールのいずれかに選択され、前記操作手段が移行領域を通過している（レール選択装置の作動中）間は、前記発射駆動装置による遊技球の打ち出しが停止するようにできる。この打ち出しの停止は、新たな遊技球滑走通路が形成されるまで、発射駆動装置による遊技球の打ち出しを停止させることで実現させることができる。
【００１３】
前記操作手段としては、ダイヤル式の回転部材、往復移動する操作レバー、つまみまたはハンドル等、種々のものが例示できる。
【００１４】
より具体的には、前記発射駆動装置と電気的に接続され、前記発射駆動装置による遊技球の発射力を回転させることに応じて調整する操作ハンドルを備え、
前記操作ハンドルは、初期位置を基準に正逆回転するハンドル部と、このハンドル部の正逆回転方向の変化の検知をする回動方向検知手段とを有し、
前記回動方向検知手段の検出信号を受けて、前記レール選択装置を作動させ、一方の案内レールから他方の案内レールへと選択するように制御を行う構成とすることが可能である。
【発明の効果】
【００１５】
本発明によれば、発射駆動装置が単一であるので、遊技機の機能の維持、管理が容易で、かつ、一方向から連続して遊技球を発射させる基本動作を確実に行える。また、レール選択装置によって遊技球を通過させる遊技球滑走通路が切替わり複数の発射口のいずれかへと選択できるので、故障やトラブルを生じることが少なく、長期間の連続使用に耐えうる。
【００１６】
さらに、一つの発射駆動装置によって異なる方向から所定の位置に遊技球を到達させるように遊技することができるため、遊技者は、遊技領域内における目標部位へ遊技球を到達させる発射精度を向上させることが可能である。
【発明を実施するための最良の形態】
【００１７】
以下、本発明について、図１から図５に基づいて詳細に説明する。
本実施の形態では、風営適正化法（風俗営業等の規則及び業務の適正化等に関する法律）の内規上「第１種」に区分されるパチンコ遊技機を例に説明する。
【００１８】
図１に示すように、遊技機１は、その設置場所たる遊技施設の所謂「島」に固定された外枠３と、この外枠３に一側を保持され、かつ外枠３に対して開閉自在かつ固定可能に設けられた遊技盤６を有する表枠４と、この表枠４の前面上部に開閉自在にかつ固定可能に設けられた窓枠５とを備える。
【００１９】
表枠４に設けられる窓枠５は、遊技者がその枠内に先の遊技盤６を覗き見ることのできる透明板を有するウィンドウユニット９を備えている。また、遊技盤６には、ウィンドウユニット９の外周に沿って、装飾ＬＥＤ１０、装飾ランプ１１などが設けられている。
【００２０】
遊技領域１ａには、遊技くぎや風車等などの障害物と、遊技球の進入し得る入賞口が形成された各種入賞装置２５、２６、２７及び２８と、入賞に至らなかった遊技球を遊技領域１ａの外部に排出するアウト口１５と、種々の図柄を演出を踏まえて表示する可変表示装置１００が設けられている。
【００２１】
また、入賞装置としては、遊技球が入り込むことで所定個数の賞球（遊技球）の払出しに繋がる一般入賞装置２５と、後に詳述する大当たり抽選制御の契機をなしたり、図柄の変動表示（抽選結果に応じた動作）を開始させるためのトリガーとなり、入賞口の開閉を行う一対の可動片を有するスタートチャッカ２６と、遊技者にとって有利となる特別遊技状態への移行時に開かれる開閉扉を備えた大入賞装置２７などを例示できる。
【００２２】
なお、各入賞装置には、遊技球の通過を検知するためのセンサが内蔵されており、そのセンサの出力は、主制御装置２０の入力ポートに入力されている。ここでは、これら入賞装置２５、２６、２７及び２８に設けられる入賞口に遊技球が入る動作を以て入賞と称する。特に、スタートチャッカ２６に遊技球が入った場合には、この入賞を「始動入賞」と称する。
【００２３】
普通図柄表示装置１８は、スタートチャッカ２６の可動片２６ｂの開放制御の実行の有無に係る入賞口に遊技球が入賞することで抽選が行われ、この当否判定の結果を告知する普通図柄を表示するための表示装置であり、例えば、普通図柄として「○」「×」等の記号を表示する。より詳しくは、当否判定の当選を受けて「○」を表示し、また、落選を受けて「×」を表示する。
【００２４】
また、この当否判定の当選は、「小当り」と称され、この小当りの当選を条件にスタートチャッカ２６の開放制御が開始される。開放制御の実行下では、スタートチャッカ２６に設けられる可動片２６ｂが所定周期で外方に動き、通常時に較べて入賞口２６ａの間口が広がるため、入賞口２６ａに対して遊技球が入賞し易くなる。この間、遊技者は有利に遊技を楽しむことができる。
【００２５】
さらに、遊技機１の主要構成部品は、表枠４に集約して取り付けられている。表枠４に設けられる主要構成部品としては、盤面に所定の遊技領域１ａが形成された遊技盤６、遊技球の入賞に基づいた抽選処理や抽選結果に応じた演出制御を行わせる主制御装置２０、遊技機１に供給すべき遊技球（遊技媒体）及び遊技機１より払い出される遊技球（賞球）を一時貯留する受皿２、遊技球を遊技盤６の上部に打ち出すための発射駆動装置７、この発射駆動装置７を操作するための操作ハンドル８、等である。この操作ハンドル８は、図１及び図３に示すように略半球状に形成され、初期位置５２から正逆両方向に回転可能であって、その回転方向によって二つの第１及び第２発射口５０ａ、５０ｂのうち、いずれから遊技球を発射させるかを切り替えることができる。
【００２６】
また、ここでは図示してないが、遊技盤６の裏面側に設けられ、必要に応じて所定個数の賞球を受皿２内に払い出す遊技球払出装置、遊技に係る主たる制御を処理する主制御装置２０から出力されたコマンドに基づき各種装置を制御する副制御装置等（図示せず）の周知の各種装置を備えている。
【００２７】
前記遊技盤６は、図１及び図２に示すように略正方形状の合板からなり、表枠４の裏面に形成された遊技盤収納枠（図示せず）に収納固定されている。図２は細部を省略した遊技盤６を示している。遊技盤６の前面に立設される長板状の第１及び第２案内レール１３ａ、１３ｂ及び遊技球規制レール１４が設けられ、遊技領域１ａは、第１及び第２案内レール１３ａ、１３ｂ及び遊技球規制レール１４で囲まれるように形成されている。第１及び第２案内レール１３ａ、１３ｂは、図示のように、遊技盤上の遊技領域１ａの左右両側の上部から発射球を遊技領域１ａ内に導くように遊技球規制レール１４に沿わすと共に、一つの遊技球を通過させる間隔で配設される案内通路の第１空間２１ａと第２空間２１ｂを形成する案内部材である。
【００２８】
また、遊技盤６の左右両側の第１及び第２案内レール１３ａ、１３ｂの先端部上部には、遊技領域１ａの中央に向けて遊技球を発射する遊技球の第１発射口５０ａ、第２発射口５０ｂが設けられている。第１及び第２発射口５０ａ、５０ｂのそれぞれは、互いに線対称となる位置に設けられている。したがって、左右の一方の第１発射口５０ａ（第２発射口５０ｂ）から遊技領域１ａに打ち出される遊技球の打ち出し方向は、左右の他方の第２発射口５０ｂ（第１発射口５０ａ）に向かう方向となる。
なお、第１発射口５０ａ（第２発射口５０ｂ）には、発射した遊技球をリバースさせないようにする球戻り防止弁１９、１９が設けられている。
【００２９】
第１発射口５０ａ（第２発射口５０ｂ）から前記遊技領域１ａに打ち出された遊技球が、第２発射口５０ｂ（第１発射口５０ａ）へ向かって移動する経路の途中であって、前記遊技領域内１ａに、遊技球の移動を妨げる阻止片６５を設けている。
この阻止片６５は、下向きの略三角形状であり、遊技領域１ａの中央最上部に位置している。第１発射口５０ａから打ち出された遊技球は、規制レール１４に沿って滑走すると阻止片６５に接して、進行方向を遊技領域１ａの中央内部方向に変えられる。そのため、前記遊技球が第２発射口５０ｂに到達することがなくなる。この関係は、第２発射口５０ｂから遊技球が発射された場合でも同様である。
【００３０】
前記阻止片６５は、第１発射口５０ａ（第２発射口５０ｂ）から発射された遊技球が第２発射口５０ｂ（第１発射口５０ａ）に到達することを防止でき、遊技領域１ａに大きく張り出すことがないものであればよく、その形状は種々のものが採用できる。また、規制レール１４に必ずしも接触していなくてもよい。
【００３１】
一方、第１及び第２案内レール１３ａ、１３ｂは、遊技盤６の上方左右端にそれぞれ設けた第１及び第２発射口５０ａ、５０ｂに連通している。図２に示すように、導入レール６０の分岐点から二股に分かれるように設けられた第１及び第２案内レール１３ａ、１３ｂの案内口２２ａ、２２ｂうちいずれかを選択可能なように、レール選択装置６６を形成する筒形状の導入レール６０と可動レール６１が設けられている。この可動レール６１は、導入レール６０と案内レールの案内口２２ａ、２２ｂの間において回動して、案内通路の第１空間２１ａまたは第２空間２１ｂのいずれかに発射された遊技球を導くように選択する。すると、前記導入レール６０から、可動レール６１を介して、第１発射口５０ａまたは第２発射口５０ｂのいずれかとの間で一つの遊技球滑走通路が形成される。
【００３２】
上述のように、第１発射口５０ａまたは発射口５０ｂから異なる二方向に遊技球を発射するために、遊技盤６の下端部中央に導入レール６０を有しており、発射駆動装置７は導入レール６０に連結されている。この導入レール６０は、発射された遊技球を滑走させるものであり、途中で二方向に分岐可能に変位する可動レール６１となり、可動レール６１を介して接続される左右の案内レールの第１案内口２２ａまたは第２案内口２２ｂを選択的に切り替えることができるようになっている。この案内レールの第１案内口２２ａまたは第２案内口２２ｂは、第１空間２１ａまたは第２空間２１ｂを介して、遊技盤６の左右に設けた第１発射口５０ａまたは第２発射口５０ｂのそれぞれと連通している。
【００３３】
前記可動レール６１は、モータ６２の作動によって回転軸６１ａを中心に、案内レールの第１及び第２案内口２２ａ、２２ｂに連通するように左右に所定角度の範囲で回動可能となっている。前記モータ６２の作動は、可動レール制御装置６３により制御され、この可動レール制御装置６３は、後述するように操作ハンドル８からのコマンド信号にしたがってモータ６２の回転方向の正逆を切り替えて可動レール６１を左右に回動させ、導入レール６０から第１発射口５０ａまたは第２発射口５０ｂとの間で一つの遊技球滑走通路が選択的に形成される。
【００３４】
この遊技機１の内部に設けられた発射駆動装置７は、操作ハンドル８への操作入力に応じた発射力で前記遊技領域１ａ内に遊技球を発射する。この発射駆動装置７は、支点Ｐを中心に揺動し遊技球を打ち出す発射槌αが設けられている。発射槌αは、操作ハンドル８からの打出し制御命令に応じて駆動するロータリーソレノイドβと接触している。すなわち、受皿２に貯留された遊技球が発射駆動装置７の遊技球打出し位置γまで一つずつ案内され、操作ハンドル８の回転調整に基づくロータリーソレノイドβの駆動によって、発射槌αが当該案内された遊技球を導入レール６０に向かって一つずつ打出すようになっている。
上記発射駆動装置７によって打ち出された遊技球は、可動レール６１により選択的に切り替えられた第１案内レール１３ａまたは第２案内レール１３ｂに沿って、互いに異なる発射方向のうちいずれかの方向に、例えば遊技領域１ａに対し左右のいずれかの方向に発射し得るようになっている。
【００３５】
発射駆動装置７には、発射制御装置５５（図４）を介して回転式操作ハンドル８が電気的に接続され、回動量に応じて遊技球の発射力を調整することができる。操作ハンドル８は、ハンドル部８ａの外周に突出する回転自在な回動リング８ｂを備え、この回動リング８ｂは中心部の軸部材５７に接合している。ハンドル部８ａは握り易い半球面形状に形成され、回動リング８ｂの正逆の回転方向は、操作ハンドル８に内蔵された回転方向検知センサ５６により検知可能になっている。
【００３６】
また、前記回動リング８ｂの回転に応じて軸部材５７も回動し、この軸部材５７は、操作ハンドル８に内蔵された可変抵抗器５１の出力レベル調整摘みに連結されている。この場合、初期位置５２を基準として、回動リング８ｂが回転しているか否かを検出することができ、また、回転しているときは、その回転角度に追従して可変抵抗器５１の出力レベルの値が変化する。したがって、操作ハンドル８が回転操作され、可変抵抗器５１の抵抗値が変化するのに従って発射駆動装置７による遊技球の発射強度が変化することになる。
【００３７】
なお、回転リング８ｂの回転が正方向（右回転）の第１回転範囲６０ａ、または逆方向（左回転）の第２回転範囲６０ｂのそれぞれにおいて、可変抵抗器を各々に分割して設置し、また、回転していない初期位置では可変抵抗器の出力レベルの値が「０」となるようにして、いずれかの方向に回転したとき、いずれの可変抵抗器の出力レベルの値が変化したかによって回転リングの回転方向を検知するようにしてもよい。
【００３８】
一方、回転方向検知センサ５６から出力された回転リング８ｂの回転方向の検出信号は、可動レール制御装置６３に送られる。このとき、操作ハンドル８が右方向に回転していることを検出したら、可動レール制御装置６３には、可動レール６１を左方向に回動させ、発射駆動装置７が発射した遊技球を左側の第１案内レール１３ａ（案内通路の第１空間２１ａ）に誘導する。
【００３９】
反対に、操作ハンドル８が左方向に回転していることを検出したら、可動レール制御装置６３には、可動レール６１を右方向に回動させ、発射駆動装置７が発射した遊技球を右側の第２案内レール１３ｂ（案内通路の第２空間２１ｂ）に誘導する。その結果、操作ハンドル８の回転方向にしたがって所定の第１発射口５０ａまたは第２発射口５０ｂのいずれかが選択される。
【００４０】
第１及び第２発射口５０ａ、５０ｂの選択制御を図５に基づいて説明する。
最初に、ステップＳ１０１で操作ハンドル８の回転角度を検出し、操作ハンドル８が初期位置５２から回転させられているか否かを検出する。回転させらていなければ、本制御を終了する。
【００４１】
一方、操作ハンドル８が操作され、これが回転している場合は、次にステップ１０２に進み、回転方向検出センサ５６により回転方向を検出する。ステップ１０３では、発射駆動装置７を駆動させて遊技球を打ち出すとともに、ステップ１０４で操作ハンドル８の回転方向に基づいて可動レール６１を作動させ、操作ハンドル８の回転方向が右であれば第１案内レール１３ａ（案内通路の第１空間２１ａ）に遊技球を導く。
【００４２】
反対に、回転方向が左であれば第２案内レール１３ｂ（案内通路の第２空間 ２１ｂ）に遊技球を導くように制御され、ステップ１０１に戻る。
以上のようにして、遊技者が操作ハンドル８を操作することで、第１発射口５０ａまたは第２発射口５０ｂが選択されて遊技球が発射される。
【００４３】
また、遊技者が操作ハンドル８を回転操作することで、遊技球を発射する発射口が切り換わる場合、必ず初期位置（回転角度が「０」の位置）５２を通過するので、そのときは前記可変抵抗器５７の出力レベルの値が「０」となる。したがって、必ず発射駆動装置７が作動せず、いずれの第１及び第２発射口５０ａ、５０ｂからも遊技球が発射されない領域を通過して発射口の切換えが行われる。すなわち、作動中の可動レール６１に遊技球が進入して、球詰まりが発生することを防止できる。
【００４４】
上記のような発射口の切換えの移行領域では、遊技球の発射停止により、第１及び第２発射口５０ａ、５０ｂの双方から短時間内に遊技球が発射されることが防止できる。遊技球が連続的に発射されている間に発射口を切り替えることは、前記切換え手段である可動レール６１の作動を困難にするおそれがあるが、切換え時に遊技球を発射しないことで、そのような事態が確実に防止される。
【００４５】
上記の例では、可動レール６１の駆動装置は、モータ６２により構成されているが、これに限られることなく他の駆動方式を採用することもできる。例えば、励磁時に一方向に駆動される一対のソレノイドと、その制御手段とで構成することが可能である。ソレノイドは、所定の制御手段により制御され、操作ハンドル８の回転操作中に所定のタイミングで励磁され駆動される。
【００４６】
本実施の形態では、上記のように遊技球発射方向を左右に切り換えることが容易にできるので、遊技盤上の遊技領域１ａにおける遊技球の通過範囲が片側発射の場合のように一部に偏ることが防止され、遊技球の動きに変化をもたせることができる。
【００４７】
なお、遊技者が発射口を選択して切り換えるために、遊技者が操作する操作手段は、上記の例のような操作ハンドルに限られず、例えば、この操作ハンドルとは別個に設けた切換スイッチ等であってもよく、その形態は限定されない。
【００４８】
上述した実施の形態は、弾球遊技機としてパチンコ機を例示するものであったが、本発明は球状の小遊技球を遊技盤面上に発射する他の弾球遊技機に適用できることはいうまでもない。
また、操作ハンドル８の回転操作により、遊技球の発射速度だけでなく、いずれの発射口から遊技球を発射されるのかを、遊技者が適宜選択することができる。したがって、遊技範囲が広がり変化に富んだ遊技機を提供できる。
【図面の簡単な説明】
【００４９】
【図１】本発明の遊技機の全体斜視図
【図２】遊技盤の案内レール、導入レール及び可動レールを示す図
【図３】操作ハンドルを示す図
【図４】操作ハンドルを回転させることで作動する各装置のブロック図
【図５】発射口の切換制御のフローチャート図
【符号の説明】
【００５０】
１      遊技機
１ａ    遊技領域
２      受皿
３      外枠
４      表枠
５      窓枠
６      遊技盤
７      発射駆動装置
８      操作ハンドル
８ａ    ハンドル部
８ｂ    回動リング
９      ウィンドウユニット
１０      装飾ＬＥＤ
１１      装飾ランプ
１２      スピーカ
１３ａ    第１案内レール
１３ｂ    第２案内レール
１４      遊技球規制レール
１８      普通図柄表示装置
１９      球戻り防止弁
２０      主制御装置
２１ａ    第１空間
２１ｂ    第２空間
２２ａ    第１案内口
２２ｂ    第２案内口
２５      一般入賞装置
２６      スタートチャッカ
２６ａ    入賞口
２６ｂ    可動片
５０ａ    第１発射口
５０ｂ    第２発射口
５１      可変抵抗器
５２      初期位置
５５      発射制御装置
５６      回転方向検知センサ
５７      軸部材
６０      導入レール
６１      可動レール
６２      モータ（可動レール駆動装置）
６３      可動レール制御装置
６６      レール選択装置
１００      可変表示装置
【図１】
2006280463.tif 000003
【図２】
2006280463.tif 000004
【図３】
2006280463.tif 000005
【図４】
2006280463.tif 000006
【図５】
2006280463.tif 000007